(57)【要約】【課題】無線通信システムにおいて、進行中の全てのマルチメディアコンポーネントでない一部メディアコンポーネントに対するセッション移転手順とこのための装置を提供する。【解決手段】本発明の一実施例に係るセッション移転手順によると、複数のメディアコンポーネントのための第１のセッションを設定している端末がネットワークコアの移動性制御エンティティに部分結合要求メッセージを送信する。この部分結合要求メッセージは、結合類型が‘部分ハンドオーバー’に設定された結合要求メッセージであってもよい。また、移動性制御エンティティからネットワークコアのゲートウェイ（Ｇａｔｅｗａｙ）情報が含まれた結合受容メッセージを受信すると、このゲートウェイ情報を用いてゲートウェイと新しいセッションである第２のセッションを設定する。第２のセッションを設定した以後にも端末は既設定された第１のセッションをリリースしない。【選択図】図２
2011504344.tif 000002
【特許請求の範囲】
【請求項１】
複数のメディアコンポーネントの送信のための第１のセッションを設定している端末のためにセッション移転を提供する方法において、
ネットワークコア（ｎｅｔｗｏｒｋ  ｃｏｒｅ）の移動性制御エンティティに部分結合要求メッセージ（ｐａｒｔｉａｌ  ａｔｔａｃｈ  ｒｅｑｕｅｓｔ  ｍｅｓｓａｇｅ）を送信する段階；
前記移動性制御エンティティから前記ネットワークコアのゲートウェイ（Ｇａｔｅｗａｙ）情報が含まれた結合受容メッセージ（ａｔｔａｃｈ  ａｃｃｅｐｔ  ｍｅｓｓａｇｅ）を受信する段階；
前記ゲートウェイ情報を用いて前記ゲートウェイ及び第２のセッションを設定する段階；及び
前記複数のメディアコンポーネントのうち前記第１のセッション及び前記第２のセッションの各々を用いて送信するメディアコンポーネントを指示する部分セッション移転情報を送信する段階；
を含む部分セッション移転方法。
【請求項２】
前記第２のセッションを設定する段階以後にも前記第１のセッションをリリースせずにそのまま維持していることを特徴とする請求項１に記載の部分セッション移転方法。
【請求項３】
前記部分セッション移転情報に基づいて前記第１のセッション及び前記第２のセッションの各々を介して前記相手方端末と前記複数のメディアコンポーネントを交換する段階を含むことを特徴とする請求項２に記載の部分セッション移転方法。
【請求項４】
前記部分結合要求メッセージは、部分ハンドオーバー（ｐａｒｔｉａｌ  ｈａｎｄｏｖｅｒ）を指示する結合類型（ａｔｔａｃｈ  ｔｙｐｅ）情報が含まれた結合要求メッセージ（ａｔｔａｃｈ  ｒｅｑｕｅｓｔ  ｍｅｓｓａｇｅ）であることを特徴とする請求項１に記載の部分セッション移転方法。
【請求項５】
前記第２のセッションのためのゲートウェイは、前記第１のセッションのためのゲートウェイと同じであることを特徴とする請求項１に記載の部分セッション移転方法。
【請求項６】
前記第２のセッションのためのゲートウェイは、前記第２のセッションのためのゲートウェイと異なることを特徴とする請求項１に記載の部分セッション移転方法。
【請求項７】
前記端末は、デュアルモード動作をサポートする端末であり、及び
前記端末は、前記第１のセッションが設定された無線接続ネットワークとは異なる無線接続ネットワークを介して前記第２のセッションを設定することを特徴とする請求項１に記載の部分セッション移転方法。
【請求項８】
前記ゲートウェイ情報は、前記ゲートウェイのＩＰアドレスまたはＴＥＩＤ（Ｔｕｎｎｅｌ  Ｅｎｄｐｏｉｎｔ  ＩＤ）であることを特徴とする請求項１に記載の部分セッション移転方法。
【請求項９】
メッセージを生成して処理するように考案されたプロセッサ；及び
前記プロセッサと各々機能的に連結されており前記プロセッサのために前記メッセージを各々送信して受信するように考案された第１の送受信機及び第２の送受信機を含む端末であって、
前記端末は、前記第１の送受信機を介して複数のメディアコンポーネントの送信のための第１のセッションを設定しており、
前記プロセッサは、部分結合要求メッセージ（ｐａｒｔｉａｌ  ａｔｔａｃｈ  ｒｅｑｕｅｓｔ  ｍｅｓｓａｇｅ）を生成して前記第２の送受信機に伝達して、
前記第２の送受信機は、伝達を受けた前記部分結合要求メッセージをネットワークコア（ｎｅｔｗｏｒｋ  ｃｏｒｅ）の移動性制御エンティティに送信して、また、前記移動性制御エンティティから前記ネットワークコアのゲートウェイ（Ｇａｔｅｗａｙ）情報が含まれた結合受容メッセージ（ａｔｔａｃｈ  ａｃｃｅｐｔ  ｍｅｓｓａｇｅ）を受信して前記プロセッサに伝達して、
前記プロセッサは、前記ゲートウェイ情報を用いて前記ゲートウェイと前記第２の送受信機を介する第２のセッションを設定して、また、前記複数のメディアコンポーネントのうち前記第１のセッション及び前記第２のセッションの各々を用いて送信するメディアコンポーネントを指示する部分セッション移転情報を生成して前記第１の送受信機及び／または前記第２の送受信機に伝達して、及び
前記第１の送受信機及び／または前記第２の送受信機は、前記伝達を受けた前記部分セッション移転情報を相手方端末のために送信することを特徴とする端末。
【発明の詳細な説明】
【技術分野】
【０００１】
本発明は、無線通信に関し、より詳しくは、無線通信システムにおいて、進行中の全てのマルチメディアコンポーネント（ｍｕｌｔｉｍｅｄｉａ  ｃｏｍｐｏｎｅｎｔｓ）でない一部メディアコンポーネントに対するセッションの移転手順及びこのための装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）リリース（Ｒｅｌｅａｓｅ）８でマルチメディアサービス連続性（ｍｕｌｔｉｍｅｄｉａ  ｓｅｒｖｉｃｅ  ｃｏｎｔｉｎｕｉｔｙ）が紹介された。マルチメディアサービス連続性とは、接続ネットワーク（Ａｃｃｅｓｓ  Ｎｅｔｗｏｒｋ、ＡＮ）が変わったり、またはユーザが使用している端末が変わる場合、進行中であるマルチメディアセッション（ｏｎｇｏｉｎｇ  ｍｕｌｔｉｍｅｄｉａ  ｓｅｓｓｉｏｎ）を、変わった接続ネットワークなどを介したり、変わった端末を用いて続けるとのことである。このようなマルチメディアサービス連続性は、マルチメディアサービスを用いている端末が他の接続ネットワークを介して接続したり、またはユーザが進行中である通信セッションのメディアを他の端末に移す場合などに、マルチメディアサービスを途切れのなく用いることができるようにするためである。
【０００３】
マルチメディアサービス連続性と関連付けられて多様なシナリオが紹介されて論議された。例えば、相違するＰＳ（Ｐａｃｋｅｔ  Ｓｗｉｔｃｈｅｄ）接続ネットワーク間でマルチメディアセッションの移転時にマルチメディアセッション連続性を示す‘ＰＳ−ＰＳセッション連続性（ｓｅｓｓｉｏｎ  ｃｏｎｔｉｎｕｉｔｙ）’、ＰＳドメイン及びＣＳ（Ｃｉｒｃｕｉｔ  Ｓｗｉｔｃｈｅｄ）ドメイン上のメディアセッションが一つのＰＳ接続ネットワークに移転されたり、またはその反対の場合にマルチメディアセッション連続性を示す‘ＰＳ−ＣＳ連続性と結合されたＰＳ−ＰＳセッション連続性（ＰＳ−ＰＳ  ｓｅｓｓｉｏｎ  ｃｏｎｔｉｎｕｉｔｙ  ｉｎ  ｃｏｎｊｕｎｃｔｉｏｎ  ｗｉｔｈ  ＰＳ−ＣＳ  ｃｏｎｔｉｎｕｉｔｙ）’、また、同じユーザの支配下にある相違する端末間におけるメディアコンポーネントの移動時のセッション連続性を示す‘端末移転（ＵＥ  Ｔｒａｎｓｆｅｒ）’などのシナリオが紹介された。
【０００４】
このようなマルチメディアサービス連続性と関連付けられているシナリオは、進行中であるマルチメディアコンポーネントの全部または一部を他の接続ネットワーク及び／または他の端末に移動させる手順ということができる。３ＧＰＰリリース８によると、‘マルチメディアセッション移転（ｍｕｌｔｉｍｅｄｉａ  ｓｅｓｓｉｏｎ  ｔｒａｎｓｆｅｒ）’または単純に‘セッション移転’とは、セッション連続性（ｓｅｓｓｉｏｎ  ｃｏｎｔｉｎｕｉｔｙ）を維持しながら、セッション信号経路（ｓｅｓｓｉｏｎ  ｓｉｇｎａｌｉｎｇ  ｐａｔｈｓ）と進行中のセッションのメディア経路（ｍｅｄｉａ  ｐａｔｈｓ  ｏｆ  ａｎ  ｏｎｇｏｉｎｇ  ｓｅｓｓｉｏｎ）におけるＩＰマルチメディアサブシステム（ＩＰ  Ｍｕｌｔｉｍｅｄｉａ  Ｓｕｂｓｙｓｔｅｍ、ＩＰＳ）レベルで移転であると定義されている。
【０００５】
このようなマルチメディアセッション移転は、接続ネットワーク移転及び／または端末移転によって具体化されることができる。接続ネットワーク移転とは、端末からＩＭＳコアへの接続ネットワーク、即ち、基地局などのような無線接続ネットワーク（Ｒａｄｉｏ  Ａｃｃｅｓｓ  Ｎｅｔｗｏｒｋ、ＲＡＮ）及び／またはＩＰ−ＣＡＮ（Ｉｎｔｅｒｎｅｔ  Ｐｒｏｔｏｃｏｌ−Ｃｏｎｎｅｃｔｉｖｉｔｙ  Ａｃｃｅｓｓ  Ｎｅｔｗｏｒｋ）のネットワークコア（Ｎｅｔｗｏｒｋ  ｃｏｒｅ）などが変わるとのことである。また、端末移転は、同じユーザの支配下にある相違する端末間のセッション移転のことであり、いずれか一つの端末で進行中であるマルチメディアセッションの全体メディアコンポーネントまたは一部メディアコンポーネントが他の端末に移動する場合などがこれに該当する。
【０００６】
このようなマルチメディアサービス連続性を達成するための一つ方法は、ＩＭＳコアを用いたセッションアンカーリング（Ｓｅｓｓｉｏｎ  Ａｎｃｈｏｒｉｎｇ）メカニズムを用いることである。より具体的に、マルチメディアサービス連続性を提供するための所定のアプリケーションサーバ、例えば、マルチメディアセッション連続性アプリケーションサーバ（Ｍｕｌｔｉｍｅｄｉａ  Ｓｅｓｓｉｏｎ  Ｃｏｎｔｉｎｕｉｔｙ  Ａｐｐｌｉｃａｔｉｏｎ  Ｓｅｒｖｅｒ、ＭＭＳＣ  ＡＳ）をＩＭＳコア（Ｃｏｒｅ）に設置しておき、進行中である全ての制御信号及びデータ信号は、このＭＭＳＣ  ＡＳを介して送信されるようにする。また、セッション移転要求などがある場合、進行中であるマルチメディア全体または一部メディアコンポーネントは、前記ＭＭＳＣ  ＡＳを軸にして他の接続ネットワークを介したり及び／または他の端末と通信するようにする。
【０００７】
このようなＭＭＳＣ  ＡＳを用いたセッションアンカーリングメカニズムは、接続ネットワークの類型または端末の類型、メディアコンポーネントの特性などに大きく依存せずに、セッション移転を介するマルチメディアサービス連続性をサポートすることができるという長所がある。然しながら、前記メカニズムは、セッション移転のための制御信号及びデータ信号がＩＭＳコア、即ち、ＭＭＳＣ  ＡＳまで伝達されることを前提とするため、それほど効率的でないだけでなく、ＩＭＳ登録（Ｒｅｇｉｓｔｒａｔｉｏｎ）などのような追加的な手順が必要であるという短所がある。
【発明の概要】
【発明が解決しようとする課題】
【０００８】
前述したマルチメディアサービス連続性は、ＩＭＳコアのアプリケーションサーバであるＭＭＳＣ  ＡＳにシグナリングが伝達されることを前提として、ＩＭＳコアへの接続ネットワーク及び／または端末間でセッションを移動することによって達成することができる。然しながら、前述したように、セッション移転のためにいつもＩＭＳ階層にシグナリングが伝達されるようにすることは効率的でない。従って、ＩＭＳ階層（ｌａｙｅｒ）にシグナリングを伝達せずにＩＰ階層またはＩＰ下位階層でセッション移転を提供することができれば、より効率的にマルチメディアサービス連続性を達成することができる。
【０００９】
例えば、接続ネットワークがＥＰＳ（Ｅｖｏｌｖｅｄ  Ｐａｃｋｅｔ  Ｓｙｓｔｅｍ）を含む場合には３ＧＰＰ  ＴＳ２３．４０１、または３ＧＰＰ  ＴＳ２３．４０２に記述されているハンドオーバー（Ｈａｎｄｏｖｅｒ）手順を介してＰＳ−ＰＳセッション連続性をサポートすることができる。これによると、セッション移転のためのシグナリングをＩＭＳコアのＭＭＳＣ  ＡＳに伝達する必要がなく、ＩＰレベルまたはＩＰ下位レベルにおけるシグナリングを介して、相違するネットワークコア間及び／または相違する端末間でマルチメディアセッションを移転することができる。
【００１０】
然しながら、前述したマルチメディアサービス連続性は、現在進行中の全てのマルチメディアコンポーネントに対するセッションの移転がある場合はもちろん一部メディアコンポーネントに対するセッションの移転がある場合にも提供される必要がある。一部セッション以前の場合、セッション移転がされない残りのコンポーネントに対する既存のセッションはリリースされたり、または維持され続けることができ、これは状況に応じて変わることができる。このように、一部メディアコンポーネントに対するセッションが他の接続ネットワーク及び／または他の端末に移動することを‘部分セッション移転（Ｐａｒｔｉａｌ  Ｓｅｓｓｉｏｎ  Ｔｒａｎｓｆｅｒ）’といい、３ＧＰＰ  ＴＳ２３．４０１及び３ＧＰＰ  ＴＳ２３．４０２に記述されている既存のハンドオーバー手順は、進行中である全てのマルチメディアコンポーネントにセッションを移動させることを仮定していることであり、部分セッション移転は全く考慮していない。
【００１１】
従って、本発明が解決しようとする一つの課題は、進行中であるマルチメディアコンポーネントの全体でない一部メディアコンポーネントに対するセッションの移転のある場合にもマルチメディアサービス連続性を達成することができるセッション移転手順及びこのための端末を提供することである。
【００１２】
本発明が解決しようとする他の一つの課題は、ＩＭＳ階層にシグナリングを伝達する必要ないＩＰ階層またはＩＰ下位階層における効率的な部分セッション移転手順及びこのための端末を提供することである。
【課題を解決するための手段】
【００１３】
前記の課題を解決するための本発明の一実施例に係るセッション移転方法は、複数のメディアコンポーネントの送信のための第１のセッションを設定している端末のためにセッション移転を提供する方法であり、ネットワークコア（ｎｅｔｗｏｒｋ  ｃｏｒｅ）の移動性制御エンティティに部分結合要求メッセージ（ｐａｒｔｉａｌ  ａｔｔａｃｈ  ｒｅｑｕｅｓｔ  ｍｅｓｓａｇｅ）を送信する段階、前記移動性制御エンティティから前記ネットワークコアのゲートウェイ（Ｇａｔｅｗａｙ）情報が含まれた結合受容メッセージ（ａｔｔａｃｈ  ａｃｃｅｐｔ  ｍｅｓｓａｇｅ）を受信する段階、前記ゲートウェイ情報を用いて前記ゲートウェイ及び第２のセッションを設定する段階、及び前記複数のメディアコンポーネントのうち前記第１のセッション及び前記第２のセッションの各々を用いて送信するメディアコンポーネントを指示する部分セッション移転情報を相手方端末のために送信する段階を含む。
【００１４】
このような本発明の実施例では、前記第２のセッションを設定する段階以後にも前記第１のセッションをリリースせずにそのまま維持している。また、前記部分セッション移転情報に基づいて前記第１のセッション及び前記第２のセッションの各々を介して前記相手方端末と前記複数のメディアコンポーネントを交換する。
【００１５】
前記の課題を解決するための本発明の一実施例に係る端末は、メッセージを生成して処理するように考案されたプロセッサ、及び前記プロセッサと各々機能的に連結されており前記プロセッサのために前記メッセージを各々送信して受信するように考案された第１の送受信機及び第２の送受信機を含む端末であり、前記端末は、前記第１の送受信機を介して複数のメディアコンポーネントの送信のための第１のセッションを設定しており、前記プロセッサは、部分結合要求メッセージ（ｐａｒｔｉａｌ  ａｔｔａｃｈ  ｒｅｑｕｅｓｔ  ｍｅｓｓａｇｅ）を生成して前記第２の送受信機に伝達して、前記第２の送受信機は、伝達を受けた前記部分結合要求メッセージをネットワークコア（ｎｅｔｗｏｒｋ  ｃｏｒｅ）の移動性制御エンティティに送信して、また、前記移動性制御エンティティから前記ネットワークコアのゲートウェイ（Ｇａｔｅｗａｙ）情報が含まれた結合受容メッセージ（ａｔｔａｃｈ  ａｃｃｅｐｔ  ｍｅｓｓａｇｅ）を受信して前記プロセッサに伝達して、前記プロセッサは、前記ゲートウェイ情報を用いて前記ゲートウェイと前記第２の送受信機を介する第２のセッションを設定して、また、前記複数のメディアコンポーネントのうち前記第１のセッション及び前記第２のセッションの各々を用いて送信するメディアコンポーネントを指示する部分セッション移転情報を生成して前記第１の送受信機及び／または前記第２の送受信機に伝達して、及び前記第１の送受信機及び／または前記第２の送受信機は、前記伝達を受けた前記部分セッション移転情報を相手方端末のために送信する。
【発明の効果】
【００１６】
本発明の実施例に係る部分セッション移転手順によると、デュアルモード動作をサポートする端末のために全体マルチメディアコンポーネントでない一部メディアコンポーネントのためのセッションの移転がある場合にも途切れのないマルチメディアサービスの提供が可能である。特に、本発明の実施例に係る部分セッション移転手順は、ＩＰ階層またはＩＰ下位階層におけるシグナリングを介して行われるため、ＩＭＳ階層まで制御信号などを送信する必要がない。従って、本発明の実施例によると、ＩＭＳ階層までの不必要なシグナリングを縮めることができるだけでなく、登録手順などのようなＩＭＳ段における不必要な手順を省略することができる。
【図面の簡単な説明】
【００１７】
【図１】本発明の一実施例に係る部分セッション移転手順を説明するための無線通信システムの概略的な構成を示すブロック図である。
【図２】本発明の第１の実施例に係る部分セッション移転手順を示すメッセージ流れ図である。
【図３】本発明の第２の実施例に係る部分セッション移転手順を示すメッセージ流れ図である。
【発明を実施するための形態】
【００１８】
以下、添付図面を参照して本発明の実施例に対して詳細に説明する。
【００１９】
図１は、本発明の一実施例に係る部分セッション移転手順を説明するための無線通信システムの概略的な構成を示すブロック図である。
【００２０】
図１を参照すると、無線通信システムは、端末（Ｕｓｅｒ  Ｅｑｕｉｐｍｅｎｔ、１０）及びネットワークコア（Ｎｅｔｗｏｒｋ  ｃｏｒｅ、２０）を含む。端末（１０）とネットワークコア（２０）との間の通信のために無線接続ネットワーク（Ｒａｄｉｏ  Ａｃｃｅｓｓ  Ｎｅｔｗｏｒｋ、ＲＡＮ）が配置されて、また、端末（１０）とネットワークコア（２０）との間の通信は、無線接続ネットワーク（ＲＡＮ）を経由して行われるが、図１では説明の便宜のために無線接続ネットワークの図示を省略した。無線接続ネットワーク（ＲＡＮ）の構成は、端末（１０）及び／またはネットワークコア（２０）の特性や類型に応じて変わることができ、その具体的な構成は、本実施例と関係がないため、これに対する説明は省略する。
【００２１】
端末（１０）は、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）などのような無線接続ネットワーク（ＲＡＮ）を介してネットワークコア（２０）を構成する複数のネットワークノード及び／または他の端末と通信をするための装置であり、その名称に特別な制限はない。例えば、端末（１０）は、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、ユーザ装置（Ｕｓｅｒ  Ｅｑｕｉｐｍｅｎｔ、ＵＥ）、加入者局（Ｓｕｂｓｃｒｉｂｅｒ  Ｓｔａｔｉｏｎ、ＳＳ）、無線機器（Ｗｉｒｅｌｅｓｓ  Ｄｅｖｉｃｅｏｒ  Ｗｉｒｅｌｅｓｓ  Ｓｔａｔｉｏｎ）などで呼ばれることができる。このような端末（１０）は、移動性を有することが一般的であるが、固定された装置であってもよい。
【００２２】
端末（１０）は、信号生成及び処理手段であるプロセッサ（１２）及び無線接続ネットワーク（ＲＡＮ）と無線信号を送受信するための送受信機（１４ａ、１４ｂ）を含む。また、図面に示されていないが、端末（１２）は、ユーザデータやプログラムなどを格納するためのメモリ（ｍｅｍｏｒｙ）、端末の多様な情報やデータをディスプレーするためのディスプレー部、キーパッドやタッチスクリーンなどのようなユーザインターフェースなどをさらに含むことができる。
【００２３】
本発明の実施例に係る端末（１０）は、マルチモード動作（ｍｕｌｔｉ  ｍｏｄｅ  ｏｐｅｒａｔｉｏｎ）をサポートし、このために少なくとも二つの送受信機（１４ａ、１４ｂ）を含む。端末（１０）が複数の送受信機（１４ａ、１４ｂ）を含む場合、プロセッサ（１２）も前記複数の送受信機（１４ａ、１４ｂ）の各々と連結されてこれらの動作をサポートして、送受信機（１４ａ、１４ｂ）の各々から信号の伝達を受けたり、または伝達する。前記プロセッサ（１２）及び送受信機（１４ａ、１４ｂ）は、図１に示されているように、全部ＰＳ通信をサポート（ＰＳ１、ＰＳ２）するよう考案された装置であってもよい。
【００２４】
ネットワークコア（２０）は、ＰＳ通信システムのコアを構成する複数のネットワークノードを含む。ネットワークコア（２０）は、例えば、ＧＰＲＳ（Ｇｅｎｅｒａｌ  Ｐａｃｋｅｔ  Ｒａｄｉｏ  Ｓｅｒｖｉｃｅ）システム、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、または３ＧＰＰ  ＬＴＥ（Ｌｏｎｇ  Ｔｅｒｍ  Ｅｖｏｌｕｔｉｏｎ）システムであるＥＰＣ（Ｅｖｏｌｖｅｄ  Ｐａｃｋｅｔ  Ｃｏｒｅ）などのようなＰＳ通信システムのネットワークノードで構成されることができる。図１には本発明の実施例の説明に必要な最小限のネットワークノードのみ示されており、ネットワークコア（２０）の構成が図１に示されている構成要素にのみ限定されることではない。
【００２５】
ネットワークコア（２０）は、移動性制御エンティティ（ＭＭＥまたはＭＡＧ、２２）及びゲートウェイ（Ｇａｔｅｗａｙ、ＧＷ、２４）を含む。移動性制御エンティティ（２２）は、端末からの結合要求やハンドオーバー要求のある場合、制御信号を処理することなどのような制御平面（ｃｏｎｔｒｏｌ  ｐｌａｎｅ）の多様な機能を担当して、ＥＰＳベアラ（Ｅｖｏｌｖｅｄ  Ｐａｃｋｅｔ  Ｓｙｓｔｅｍ  ｂｅａｒｅｒ）またはＩＰトンネル（ＩＰ  ｔｕｎｎｅｌ）の設定及び移動性管理（ｍｏｂｉｌｉｔｙｍａｎａｇｅｍｅｎｔ）機能などの機能を遂行する。前記移動性制御エンティティ（２２）は、Ｅ−ＵＭＴＳの移動性管理エンティティ（Ｍｏｂｉｌｉｔｙ  Ｍａｎａｇｅｍｅｎｔ  Ｅｎｔｉｔｙ、ＭＭＥ）であってもよく、ＭＡＧ（Ｍｅｄｉａ  Ａｃｃｅｓｓ  Ｇａｔｅｗａｙ）であってもよく、これは例示に過ぎない。ＭＡＧは、ＩＰレベルの移動性管理及びユーザデータの送信に関連づけられているプロトコルであるＰＭＩＰ（Ｐｒｏｘｙ  Ｍｏｂｉｌｅ  Ｉｎｔｅｒｎｅｔ  Ｐｒｏｔｏｃｏｌ）を使用するためにＩＥＴＦ（Ｉｎｔｅｒｎｅｔ  Ｅｎｇｉｎｅｅｒｉｎｇ  Ｔａｓｋ  Ｆｏｒｃｅ）で定義しているネットワークノードであり、移動性制御平面（Ｍｏｂｉｌｉｔｙ  Ｃｏｎｔｒｏｌ  Ｐｌａｎｅ）だけでなく、ユーザデータ平面（Ｕｓｅｒ  Ｄａｔａ  Ｐｌａｎｅ）も含む。
【００２６】
ゲートウェイ（ＧＷ、２４）は、ネットワークコア（２０）で外部のパケットデータネットワークと通信するための入出口の機能を遂行するネットワークノードである。所定の結合手順（Ａｔｔａｃｈ  Ｐｒｏｃｅｄｕｒｅ）またはハンドオーバー手順（ｈａｎｄｏｖｅｒ  Ｐｒｏｃｅｄｕｒｅ）に従って、端末（１０）は、無線接続ネットワーク（ＲＡＮ）を介してゲートウェイ（ＧＷ、２４）までＥＰＳベアラ（ＥＰＳ  Ｂｅａｒｅｒ）またはＩＰトンネル（ＩＰ  Ｔｕｎｎｅｌ）を設定する。また、本発明の実施例によると、ゲートウェイ（２４）は、既設定されたマルチメディアセッションの分離及び／またはセッション統合機能も実行する。このようなゲートウェイ（２４）は、例えば、ＥＰＣから外部のパケットデータネットワークにアクセスするためのエッジゲートウェイ（ｅｄｇｅ  ｇａｔｅｗａｙ）であるＰＤＮ  ＧＷ（Ｐａｃｋｅｔ  Ｄａｔａ  Ｎｅｔｗｏｒｋ  Ｇａｔｅｗａｙ）であってもよい。
【００２７】
また、ネットワークコア（２０）は、ホーム加入者サーバ（Ｈｏｍｅ  Ｓｕｂｓｃｒｉｂｅｒ  Ｓｅｒｖｅｒ、ＨＳＳ）及びＡＡＡ（Ａｕｔｈｅｎｔｉｃａｔｉｏｎ、Ａｕｔｈｏｒｉｚａｔｉｏｎ、Ａｃｃｏｕｎｔｉｎｇ）サーバ（２６）をさらに含むことができる。ＨＳＳは、無線通信システムに対する加入者情報が含まれているデータベースを含むネットワークノードである。また、ＡＡＡサーバは、ネットワークコア（２０）を構成するネットワークノードに対する端末の接近を許容して端末の位置などのような記録を残して統制できるようにする認証関連サーバである。図１ではＨＳＳ及びＡＡＡ（２６）は、一つのブロックで図示したが、これは単に説明の便宜のためのことである。ＨＳＳ及びＡＡＡ（２６）は、論理的に区分される機能エンティティであるが、物理的には一つで具現されたり、または各々別個に具現されることができる。
【００２８】
次に、図１の無線通信システムを用いた本発明の実施例に係る部分セッション移転手順を説明する。
【００２９】
図２は、本発明の第１の実施例に係る部分セッション移転手順を示すメッセージ流れ図である。図２において、デュアルモード動作をサポートする第１の端末（ＵＥ１）は、現在第１の送受信機（ＰＳ１）を用いて第２の端末（ＵＥ２）と第１のマルチメディアセッションを設定してＩＭＳマルチメディアサービスを進行中である。設定された第１のマルチメディアセッションを表すために、図２では第１の端末（ＵＥ１）の第１の送受信機（ＰＳ１）とゲートウェイ（ＧＷ）との間にマルチメディアベアラ（Ｍｕｌｔｉｍｅｄｉａ  Ｂｅａｒｅｒ）またはＥＰＳ（Ｅｖｏｌｖｅｄ  Ｐａｃｋｅｔ  Ｓｙｓｔｅｍ）ベアラが設定されており、前記ゲートウェイ（ＧＷ）と第２のＵＥ（ＵＥ２）との間にも所定のベアラまたはトンネルが設定されていることと図示されている。前記ＩＭＳマルチメディアサービスは、複数のメディアコンポーネント、例えば、音声（ｖｏｉｃｅ）と非音声（ｎｏｎ−ｖｏｉｃｅ）メディアの通信をサポートする。
【００３０】
図２を参照すると、第１の端末（ＵＥ１）は、まず、第２の送受信機（ＰＳ２）を介して部分結合要求メッセージ（ｐａｒｔｉａｌ  ａｔｔａｃｈ  ｒｅｑｕｅｓｔ  ｍｅｓｓａｇｅ）をネットワークコア、より具体的に、ネットワークコアの移動性制御エンティティ（ＭＭＥまたはＭＡＧ）に送信する（Ｓ１１）。移動性制御エンティティは、例えば、ＭＭＥまたはＭＡＧであってもよい。第１の端末（ＵＥ１）が第２の送受信機（ＰＳ２）を介して部分結合要求メッセージを送信する原因には、何らの制限がない。例えば、第１の端末（ＵＥ１）は、第１の送受信機（ＰＳ１）を介するマルチメディアサービスの利用中に第２の送受信機（ＰＳ２）が利用可能な状態と把握するようになり、また、前記マルチメディアのうち一部のメディアコンポーネント、例えば、音声メディアを第２の送受信機（ＰＳ２）に移動させることがさらに効率的であると判断した場合、第２の送受信機（ＰＳ２）を介して前記部分結合要求メッセージを送信することができる。この場合、効率性の判断根拠と移動の対象になるメディアコンポーネントがどんなメディアであるかは本発明の実施例とは関係がない。
【００３１】
部分結合要求メッセージは、部分セッション移転のために第２の送受信機（ＵＥ１  ＰＳ２）からネットワークコアへの接続を要求するメッセージである。部分結合要求メッセージのフォーマットは、特別な制限がなく、例えば、‘部分ハンドオーバー（ｐａｒｔｉａｌ  ｈａｎｄｏｖｅｒ）’を指示する値に設定された結合類型（ａｔｔａｃｈ  ｔｙｐｅ）情報を含む結合要求メッセージ（Ａｔｔａｃｈ  Ｒｅｑｕｅｓｔ）であってもよい。このようなフォーマットの結合要求メッセージは、結合類型が‘初期結合（ｉｎｉｔｉａｌ  ａｔｔａｃｈ）’または‘ハンドオーバー（ｈａｎｄｏｖｅｒ）’に設定される既存の結合要求メッセージと区分されるだけでなく、‘部分ハンドーバー’という結合類型のみを別途に追加すればよいため、既存の結合要求メッセージをそのまま用いることができるという長所がある。また、ネットワークコアを構成する多様なネットワークノード、例えば、ＭＭＥ（ＭＡＧ）、ＧＷ、ＨＳＳ、ＡＡＡ等は、結合要求メッセージに含まれた結合類型情報に従って、適応的に動作を実行する。
【００３２】
第２の端末（ＰＳ２）から部分結合要求メッセージを受信した移動性制御エンティティ（ＭＭＥまたはＭＡＧ）は、ＨＳＳ及びＡＡＡと接触をしてＵＥ１に対する認証手順を実行する（Ｓ１２）。認証手順の具体的な過程は、ネットワークコア及び／または無線接続ネットワークの類型に従って変わることができ、通常的な手順に従って進行される。
【００３３】
また、成功的な認証手順の実行後、移動性制御エンティティ（ＭＭＥまたはＭＡＧ）は、位置更新手順を実行する（Ｓ１３）。このような位置更新手順は、ＰＳ２を介して接続した移動性制御エンティティ（ＭＭＥまたはＭＡＧ）が既存に使用しているエンティティ、即ち、ＰＳ１を介して接続した移動性制御エンティティと異なる場合に実行される。
【００３４】
また、位置更新手順を実行した後、移動性制御エンティティ（ＭＭＥまたはＭＡＧ）は、ＨＳＳから加入者データを獲得する手順を実行する（Ｓ１４）。このために、ＨＳＳは、移動性制御エンティティに加入者データを伝達する。この場合、前記加入者データには第１の端末（ＵＥ１）が使用可能な全てのＡＰＮ（Ａｃｃｅｓｓ  Ｐｏｉｎｔ  Ｎａｍｅ）などの情報と共にゲートウェイ（ＧＷ）に関する情報、即ち、前記ゲートウェイのＩＰアドレス（ＩＰ  Ａｄｄｒｅｓｓ）も共に含む。このような過程を介してＨＳＳ及びＡＡＡは、ＵＥ１  ＰＳ２のためのゲートウェイを割り当て、その情報を移動性制御エンティティ（ＭＭＥまたはＭＡＧ）に知らせる。
【００３５】
結合類型が‘部分結合’の場合には、ＵＥ１  ＰＳ１のために既存に割り当てられていたＧＷと同じＧＷをＵＥ１  ＰＳ２のために割り当てることができる。これはＨＳＳ及びＡＡＡに現在ＵＥ１  ＰＳ１に割り当てられているＧＷに対する情報があるため可能である。然しながら、本発明の実施例がここにのみ限定されることではなく、ＵＥ１  ＰＳ２のために割り当てられるＧＷは、既存のＧＷと異なる新しいＧＷであってもよい。この場合には新しく割り当てられたＧＷのＩＰアドレス及びこれと関連付けられている追加情報がＨＳＳ及びＡＡＡに格納され、これに対しては図３を参照して後述する。また、移動性制御エンティティ（ＭＭＥまたはＭＡＧ）も既存に有しているＵＥ１のコンテクスト（ｃｏｎｔｅｘｔ）に新しく追加されたＵＥ１  ＰＳ２に対する情報を更新する。
【００３６】
次に、移動性制御エンティティ（ＭＭＥまたはＭＡＧ）とゲートウェイ（ＧＷ）との間に部分セッション移転のための新しいベアラまたはトンネルを設定する手順を実行する（Ｓ１５、Ｓ１６）。
【００３７】
このために、まず、移動性制御エンティティは、サービングゲートウェイ（Ｓｅｒｖｉｎｇ  ＧＷ）を介してベアラ設定要求メッセージまたはトンネル設定要求メッセージをゲートウェイ（ＧＷ）に送信する（Ｓ１５）。前記ベアラ設定要求メッセージは、例えば、Ｃｒｅａｔｅ  Ｄｅｆａｕｌｔ  Ｂｅａｒｅｒ  Ｒｅｑｕｅｓｔであり、前記トンネル設定要求メッセージは、例えば、（Ｐ）ＭＩＰ  Ｂｉｎｄｉｎｇ  Ｕｐｄａｔｅであり、このようなメッセージ類型は例示に過ぎない。
【００３８】
また、前記ゲートウェイ（ＧＷ）は、応答としてベアラ設定応答メッセージまたはトンネル設定応答メッセージを移動性制御エンティティに送信する（Ｓ１６）。前記ベアラ設定応答メッセージは、例えば、Ｃｒｅａｔｅ  Ｄｅｆａｕｌｔ  Ｂｅａｒｅｒ  Ｒｅｓｐｏｎｓｅであり、前記トンネル設定応答メッセージは、例えば、（Ｐ）ＭＩＰ  Ｂｉｎｄｉｎｇ  Ａｃｋ．である。前記応答メッセージには受信された要求メッセージに対する受容如何と共に新しく設定するベアラあるいはトンネルの終端（Ｅｎｄｐｏｉｎｔ）であるゲートウェイ（ＧＷ）を知らせるためのネットワークノードのＩＰアドレス（ＩＰ  Ａｄｄｒｅｓｓ）またはＴＥＩＤ（Ｔｕｎｎｅｌ  Ｅｎｄｐｏｉｎｔ  ＩＤ）を含む。
【００３９】
このように、前記段階Ｓ１６において送信される応答メッセージには前記ＨＳＳによって決定される多様な情報が含まれ、特にＵＥ１の新しい部分セッション（ｐａｒｔｉａｌ  ｓｅｓｓｉｏｎ）のためにＵＥ１  ＰＳ２に対して割り当てられたゲートウェイ情報（例えば、ゲートウェイのＩＰ情報）が含まれる。このようなゲートウェイ情報は、本実施例の通り、ＵＥ１  ＰＳ１が使用している既存のゲートウェイと同じゲートウェイのＩＰ情報であってもよく、または後述する第２の実施例の通り、前記既存のゲートウェイとは異なる新しく割り当てられるゲートウェイのＩＰ情報であってもよい。
【００４０】
また、移動性制御ノード（ＭＭＥまたはＭＡＧ）は、結合受容メッセージ（Ａｔｔａｃｈ  Ａｃｃｅｐｔ）を第１の端末（ＵＥ１）に送信する（Ｓ１７）。前記結合受容メッセージにはＥＰＳベアラまたはＩＰトンネルを設定するためのネットワークノードのＩＰアドレス（ＩＰ  Ａｄｄｒｅｓｓ）またはＴＥＩＤ（Ｔｕｎｎｅｌ  Ｅｎｄｐｏｉｎｔ  ＩＤ）が含まれる。より具体的に、前記結合受容メッセージは、無線接続ネットワーク（ＲＡＮ）を介して移動性制御ノードからＵＥ１  ＰＳ２に送信されるが、前記結合受容メッセージに含まれたＩＰ  ＡｄｄｒｅｓｓまたはＴＥＩＤは、ＲＡＮのノードまで送信される。
【００４１】
次に、ＵＥ１  ＰＳ２とＲＡＮとの間に無線ベアラ設定手順が実行されて、また前記ＲＡＮとゲートウェイ（ＧＷ）との間にベアラまたはトンネル設定手順を実行することによって、ＵＥ１  ＰＳ２とゲートウェイ（ＧＷ）との間に新しいセッション、例えば、新しいＥＰＳベアラまたはＩＰトンネルを設定する（Ｓ１８）。また、本発明の実施例によると、ＵＥ１  ＰＳ１がゲートウェイ（ＧＷ）と設定した既存のＥＰＳベアラまたはＩＰトンネル（即ち、図２において、段階Ｓ１１以前の既設定されたマルチメディアベアラ）は、リリースせずにそのまま維持している。なぜなら、部分セッション移転のための本発明の実施例は、マルチメディアコンポーネントのうち一部メディアコンポーネントのみ新しく設定されたＥＰＳベアラまたはＩＰトンネルを介して送信して、残りのメディアコンポーネントは、既存のＥＰＳベアラを介して送信するためである。
【００４２】
また、図面に示されていないが、ＵＥ１  ＰＳ２と新しいＥＰＳベアラを設定したゲートウェイ（ＧＷ）は、相手方端末（ＵＥ２）及び／または相手方端末（ＵＥ２）を含む無線通信システム（ネットワークコア及び無線接続ネットワーク等）と新しいベアラまたはトンネル設定手順を実行する。このような手順は、通常的なベアラ設定手順に従って進行されるため、これに対する具体的な説明は省略する。ただし、前記ゲートウェイ（ＧＷ）がＵＥ１  ＰＳ１とＥＰＳベアラを設定したゲートウェイ（ＧＷ）と同じ場合には、前記ゲートウェイ（ＧＷ）とＵＥ２との新しいＥＰＳベアラまたはＩＰトンネル設定手順は省略が可能である。
【００４３】
このように、ＵＥ１  ＰＳ２とゲートウェイ（ＧＷ）間に新しいベアラまたはトンネルの設定手順が完了すれば、ＵＥ１はゲートウェイ（ＧＷ）まで使用可能なＥＰＳベアラ及び／またはＩＰトンネルを二つ有するようになる。この場合、ＵＥ１は、部分セッション移転を介してマルチメディアから分離して新しく設定されたベアラ（トンネル）を介して送信するメディアコンポーネントを決定したり、またはマルチメディアコンポーネントのうち前記二つのベアラ（トンネル）の各々を介して送信するメディアコンポーネントを決定する。例えば、ＵＥ１は、マルチメディアのうち、非音声（Ｎｏｎ−Ｖｏｉｃｅ）メディアは、既存のベアラ、即ち、ＵＥ１  ＰＳ１を介して設定されたベアラまたはトンネルを介して交換して、音声メディアは、新しく設定されたベアラ、即ち、ＵＥ１  ＰＳ２を介して設定されたベアラまたはトンネルを介して交換することと決定することができる。
【００４４】
また、ＵＥ１は、このような決定内容が含まれた情報、即ち、部分セッション移転情報（Ｐａｒｔｉａｌ  Ｓｅｓｓｉｏｎ  Ｔｒａｎｓｆｅｒ  Ｉｎｆｏｒｍａｔｉｏｎ）を、相手方端末（ＵＥ２）や相手方端末（ＵＥ２）のネットワークコアまたはマルチメディアサービスを提供する主体、または相手方端末（ＵＥ２）とサービス提供主体を含む相手方端末（ＵＥ２）の無線通信システムに伝達する（Ｓ１９）。ＵＥ１が前記部分セッション移転情報を相手方端末（ＵＥ２）などに伝達する方法には何らの制限がない。例えば、ＵＥ１は、既存のベアラのみを用いたり、または新しく設定されたベアラを用いたり、または設定されている二つのベアラの両方ともを用いて前記部分セッション移転情報をＵＥ２などに伝達することができる。
【００４５】
また、図２を参照すると、第１の端末（ＵＥ１）は、設定されている二つのＥＰＳベアラまたはＩＰトンネルを介してゲートウェイ（ＧＷ）とマルチメディアデータを交換する（Ｓ２０）。前述したように、本実施例は、ＵＥ１  ＰＳ１とＵＥ１  ＰＳ２に対して割り当てられるゲートウェイ（ＧＷ）が同じであるため、本段階（Ｓ２０）で行われるマルチメディアデータの送信も同じゲートウェイ（ＧＷ）を介して行われる。然しながら、図３を参照して後述する第２の実施例の通り、ＵＥ１  ＰＳ１とＵＥ１  ＰＳ２に対して割り当てられるゲートウェイ（ＧＷ）が異なる場合には、マルチメディアデータの送信も異なるゲートウェイを介して行われる。
【００４６】
本段階において、各ＥＰＳベアラまたはＩＰトンネルを介して送信されるメディアコンポーネントは、相手方に既に送信した部分セッション移転情報に従って決定される。例えば、段階Ｓ１９において伝達した部分セッション移転情報に従って、既存のＥＰＳベアラ（ＵＥ１  ＰＳ１を介して設定されたＥＰＳベアラ）を介しては非音声データを交換して、新しく設定されたＥＰＳベアラ（ＵＥ１  ＰＳ２を介して設定されたＥＰＳベアラ）を介しては音声データを交換することができる。また、前記ゲートウェイ（ＧＷ）から相手方端末（ＵＥ２）までは任意の経路（例えば、既設定されたベアラまたは二つのベアラ）を介してマルチメディアデータが送信され、図２には非音声データおよび音声データが別個のベアラを介して送信されることと図示されているが、これは単に例示に過ぎない。
【００４７】
図３は、本発明の第２の実施例に係る部分セッション移転手順を示すメッセージ流れ図である。本実施例は、部分セッション移転を介してＵＥ２と新しいマルチメディアベアラを設定するＵＥ１  ＰＳ２のために新しく割り当てられるゲートウェイ（ＧＷ）が、ＵＥ１  ＰＳ１のために割り当てられた既存の第１のゲートウェイ（ＧＷ１）とは異なる第２のゲートウェイ（ＧＷ２）という点で第１の実施例と差があるだけである。以下、図２を参照して前述した第１の実施例との差異点を中心に第２の実施例に対して簡略に説明する。従って、本実施例で詳細に説明しない部分は、前述した第１の実施例が同一に適用されることができる。
【００４８】
第２の実施例においても、第１の実施例と同様に、デュアルモード動作をサポートする第１の端末（ＵＥ１）は、現在第１の送受信機（ＰＳ１）を用いて第２の端末（ＵＥ２）と第１のマルチメディアセッションを設定してＩＭＳマルチメディアサービスを進行中である。設定された第１のマルチメディアセッションを表すために、図３には第１の端末（ＵＥ１）の第１の送受信機（ＰＳ１）と第１のゲートウェイ（ＧＷ１）との間にマルチメディアベアラ（Ｍｕｌｔｉｍｅｄｉａ  Ｂｅａｒｅｒ）またはＥＰＳベアラが設定されており、第１のゲートウェイ（ＧＷ１）と第２のＵＥ（ＵＥ２）との間にも所定のベアラまたはトンネルが設定されていることと示されている。前記ＩＭＳマルチメディアサービスは、複数のメディアコンポーネント、例えば、音声（ｖｏｉｃｅ）と非音声（ｎｏｎ−ｖｏｉｃｅ）メディアの通信をサポートする。
【００４９】
図３を参照すると、第１の端末（ＵＥ１）は、まず、第２の送受信機（ＰＳ２）を介して部分結合要求メッセージ（ｐａｒｔｉａｌ  ａｔｔａｃｈ  ｒｅｑｕｅｓｔ  ｍｅｓｓａｇｅ）をネットワークコア、より具体的に、ネットワークコアの移動性制御エンティティ（ＭＭＥまたはＭＡＧ）に送信する（Ｓ３１）。部分結合要求メッセージは、部分セッション移転のために第２の送受信機（ＵＥ１  ＰＳ２）からネットワークコアへの接続を要求するメッセージである。部分結合要求メッセージのフォーマットは特別な制限がなく、例えば、‘部分ハンドオーバー（ｐａｒｔｉａｌ  ｈａｎｄｏｖｅｒ）’を指示する値に設定された結合類型（ａｔｔａｃｈ  ｔｙｐｅ）情報を含む結合要求メッセージ（Ａｔｔａｃｈ  Ｒｅｑｕｅｓｔ）であってもよい。
【００５０】
第２の端末（ＰＳ２）から部分結合要求メッセージを受信した移動性制御エンティティ（ＭＭＥまたはＭＡＧ）は、ＨＳＳ及びＡＡＡと接触をしてＵＥ１に対する認証手順を実行する（Ｓ３２）。また、成功的な認証手順の実行後、移動性制御エンティティ（ＭＭＥまたはＭＡＧ）は、位置更新手順を実行する（Ｓ３３）。また、移動性制御エンティティ（ＭＭＥまたはＭＡＧ）は、ＨＳＳから加入者データを獲得する手順を実行する（Ｓ３４）。前記加入者データには第１の端末（ＵＥ１）が使用可能な全てのＡＰＮ（Ａｃｃｅｓｓ  Ｐｏｉｎｔ  Ｎａｍｅ）などの情報と共にゲートウェイ（ＧＷ）に関する情報、即ち、前記第２のゲートウェイ（ＧＷ２）のＩＰアドレス（ＩＰ  Ａｄｄｒｅｓｓ）も共に含ませる。このような過程を介してＨＳＳ及びＡＡＡは、ＵＥ１  ＰＳ２のためのゲートウェイ（ＧＷ）である第２のゲートウェイ（ＧＷ２）を割り当ててその情報を移動性制御エンティティ（ＭＭＥまたはＭＡＧ）に知らせる。このように、本実施例ではＵＥ１  ＰＳ１のために既存に割り当てられていた第１のゲートウェイ（ＧＷ１）とは異なるゲートウェイである第２のゲートウェイ（ＧＷ２）をＵＥ１  ＰＳ２のために割り当てる。
【００５１】
また、移動性制御エンティティ（ＭＭＥまたはＭＡＧ）と第２のゲートウェイ（ＧＷ２）との間に部分セッション移転のための新しいベアラまたはトンネルを設定する手順を実行する（Ｓ３５、Ｓ３６）。このために、まず、移動性制御エンティティは、サービングゲートウェイ（Ｓｅｒｖｉｎｇ  ＧＷ）を介してベアラ設定要求メッセージまたはトンネル設定要求メッセージを第２のゲートウェイ（ＧＷ２）に送信する（Ｓ３５）。また、第２のゲートウェイ（ＧＷ２）は、応答としてサービングゲートウェイ（Ｓｅｒｖｉｎｇ  ＧＷ）を介してベアラ設定応答メッセージまたはトンネル設定応答メッセージを移動性制御エンティティに送信する（Ｓ３６）。前記応答メッセージには受信された要求メッセージに対する受容如何と共に新しく設定するベアラあるいはトンネルの終端（Ｅｎｄｐｏｉｎｔ）である第２のゲートウェイ（ＧＷ２）を知らせるためのネットワークノードのＩＰアドレス（ＩＰ  Ａｄｄｒｅｓｓ）またはＴＥＩＤ（Ｔｕｎｎｅｌ  Ｅｎｄｐｏｉｎｔ  ＩＤ）を含む。前述したように、第２のゲートウェイ（ＧＷ２）のＩＰアドレスまたはＴＥＩＤは、第１のゲートウェイ（ＧＷ１）のＩＰアドレスまたはＴＥＩＤとは異なる。
【００５２】
また、移動性制御ノード（ＭＭＥまたはＭＡＧ）は、結合受容メッセージ（Ａｔｔａｃｈ  Ａｃｃｅｐｔ）を第１の端末（ＵＥ１）に送信する（Ｓ３７）。前記結合受容メッセージにはＥＰＳベアラまたはＩＰトンネルを設定するためのネットワークノードである第２のゲートウェイ（ＧＷ２）のＩＰアドレス（ＩＰ  Ａｄｄｒｅｓｓ）またはＴＥＩＤ（Ｔｕｎｎｅｌ  Ｅｎｄｐｏｉｎｔ  ＩＤ）が含まれる。また、ＵＥ１  ＰＳ２とＲＡＮとの間に無線ベアラ設定手順が実行されて、また、前記ＲＡＮと第２のゲートウェイ（ＧＷ２）との間にベアラまたはトンネル設定手順を実行することによって、ＵＥ１  ＰＳ２と第２のゲートウェイ（ＧＷ２）との間に新しいセッション、例えば、新しいＥＰＳベアラまたはＩＰトンネルを設定する（Ｓ３８）。また、本発明の実施例によると、ＵＥ１  ＰＳ１が第１のゲートウェイ（ＧＷ１）と設定した既存のＥＰＳベアラまたはＩＰトンネル（即ち、図３において、段階Ｓ３１以前の既設定されたマルチメディアベアラ）はリリースせずにそのまま維持している。
【００５３】
また、ＵＥ１は、各ＥＰＳベアラを介して送信するメディアコンポーネント種類に関する決定内容を含む部分セッション移転情報（Ｐａｒｔｉａｌ  Ｓｅｓｓｉｏｎ  Ｔｒａｎｓｆｅｒ  Ｉｎｆｏｒｍａｔｉｏｎ）を、相手方端末（ＵＥ２）や相手方端末（ＵＥ２）のネットワークコアまたはマルチメディアサービスを提供する主体、または相手方端末（ＵＥ２）とサービス提供主体を含む相手方端末（ＵＥ２）の無線通信システムに伝達する（Ｓ３９）。ＵＥ１が前記部分セッション移転情報を相手方端末（ＵＥ２）などに伝達する方法には何らの制限がない。例えば、ＵＥ１は、既存のベアラのみを用いたり、または新しく設定されたベアラのみを用いたり、またはこの二つのベアラの両方ともを用いて前記部分セッション移転情報をＵＥ２などに伝達することができる。
【００５４】
また、図３を参照すると、第１の端末（ＵＥ１）は、設定されている二つのＥＰＳベアラまたはＩＰトンネルを用いて、即ち、第１のゲートウェイ（ＧＷ１）及び第２のゲートウェイ（ＧＷ２）の各々を介して第２のＵＥ（ＵＥ２）とマルチメディアデータを交換する（Ｓ４０）。前述したように、本実施例は、ＵＥ１  ＰＳ１とＵＥ１  ＰＳ２に対して割り当てられるゲートウェイ（ＧＷ）が異なる場合であるため、ＵＥ１  ＰＳ１は、第１のゲートウェイ（ＧＷ１）を介して、ＵＥ１  ＰＳ２は、第２のゲートウェイ（ＧＷ２）を介して各々異なるメディアコンポーネントを送信する。マルチメディアデータのうち各々のゲートウェイを介して送信されるメディアコンポーネントの種類は、例えば、段階Ｓ３９において伝達した部分セッション移転情報に対応するように分かれることができる。
【００５５】
以上、詳細に説明した本発明の実施例は、単に本発明の技術思想を示すための例示に過ぎず、前記実施例によって本発明の技術思想が限定されると解釈されてはならない。本発明の保護範囲は、後述する本発明の特許請求の範囲によって特定される。
【図１】
2011504344.tif 000003
【図２】
2011504344.tif 000004
【図３】
2011504344.tif 000005
【国際調査報告】
2011504344.tif 000006
2011504344.tif 000007
2011504344.tif 000008
2011504344.tif 000009